(57)【要約】【課題】バラの土質改良材を使用することで価格の低減を図り、使用済み後の袋による産業廃棄物の発生をなくすことができる地盤の表層改良工法を提供する。【解決手段】バラの土質改良材Ａを散布バケット２内に収納し、この散布バケット２をバックホウ１５のアーム１６に取付け、前記散布バケット２の吊持角度を前後に変えることで、内部に収納した土質改良材Ａを下部の排出口から地面に散布し、この後、土質改良材Ａと土の混合攪拌を行い、その後、必要に応じて締め固めを行う。【選択図】図６
2008285826.tif 000002
【特許請求の範囲】
【請求項１】
土質改良材を散布バケット内に収納し、この散布バケットを自走式車両のアームに取付け、前記散布バケットの吊持角度を前後に変えることで、内部に収納した土質改良材を下部の排出口から地面に散布し、この後、土質改良材と土を混合攪拌し、必要に応じて締め固めを行う地盤の表層改良工法。
【請求項２】
土質改良材を収納する散布バケットが、周壁の上下を底壁と上壁で閉鎖して内部中空の箱に形成され、この散布バケットの上壁に、自走式車両のアーム先端に取付けたアタッチメントの結合金具と、土質改良材の投入口を設け、前記散布バケットの前後位置の一方で周壁の下部位置に、内部に収納した土質改良材の排出口を設けた土質改良材の散布装置。
【請求項３】
上記散布バケットの排出口は、吊り下げ状に取付けた蓋板により、散布バケットの前後の角度変化によって自動的に開閉するようになっている請求項２に記載の土質改良材の散布装置。
【発明の詳細な説明】
【技術分野】
【０００１】
この発明は、低層構築物の基礎の支持地盤を形成したり、土構造物の強度確保、円弧すべり対策、沈下対策、土壌浄化等を行うための地盤の表層改良工法と、この工法に用いる土質改良材の散布装置に関する。
【背景技術】
【０００２】
例えば、地盤の表層改良工法の一般的な工程は、現地地盤の上にセメント系等の土質改良材を所定量散布して均一に敷き均し、次に、地面を掘削して土質改良材と土を混合攪拌し、必要に応じて転圧による締め固めを行うものである。
【０００３】
従来の地盤の表層改良工法における土質改良材は、袋に収納した荷姿にしたものを用い、この土質改良材入り袋の紐をバックホウに設けたフックに引掛けて吊り下げ、袋の底を開いて土質改良材を地面に散布するようにしている。
【発明の開示】
【発明が解決しようとする課題】
【０００４】
ところで、袋に収納した荷姿の土質改良材は、包装コストがかかるため価格的に高く付くと共に、使用済み後の袋は産業廃棄物となり、その処理にも別途経費がかかるという問題がある。
【０００５】
また、袋に収納した荷姿の土質改良材は、使用するまで放置しておくと、所謂風邪を引くといわれる固化や変質等が発生し、このため、従来は、パレットやシート等を使って土質改良材を養生しなければならないという不便がある。
【０００６】
そこで、この発明の課題は、バラの土質改良材を使用することで価格の低減を図り、使用済み後の袋による産業廃棄物の発生をなくし、しかも、シート等による土質改良材の養生を不要にすることができる地盤の表層改良工法とこれに用いる土質改良材の散布装置を提供することにある。
【課題を解決するための手段】
【０００７】
上記のような課題を解決するため、この発明の表層改良工法は、土質改良材を散布バケット内に収納し、この散布バケットを自走式車両のアームに取付け、前記散布バケットの吊持角度を前後に変えることで、内部に収納した土質改良材を下部の排出口から地面に散布し、この後、土質改良材と土を混合攪拌し、必要に応じて締め固めを行う構成を採用したものである。
【０００８】
この発明の散布装置は、土質改良材を収納する散布バケットが、周壁の上下を底壁と上壁で閉鎖して内部中空の箱に形成され、この散布バケットの上壁に、自走式車両のアーム先端に取付けたアタッチメントの結合金具と、土質改良材の投入口を設け、前記散布バケットの前後位置の一方で周壁の下部位置に、内部に収納した土質改良材の排出口を設けた構成を採用したものである。
【０００９】
上記散布バケットの排出口は、吊り下げ状に取付けた蓋板により、散布バケットの前後の角度変化によって自動的に開閉するようになっているようにしてもよい。
【００１０】
ここで、土質改良材はバラの状態のものを使用し、これを作業現場の近くに設置したサイロ内に収納し、運搬車両に載せた散布バケットをサイロの近くに運び、サイロ内の土質改良材を計量して所定量を取出し、これを散布バケット内にホースを介して投入口から投入し、この散布バケットを運搬車両で作業現場に運び、現場で待機しているバックホウのアーム先端に取付けたアタッチメントを結合金具に対して係合させることにより、散布バケットをバックホウで吊り下げ保持する。
【００１１】
上記散布バケットは、排出口がバックホウのキャビンと対面する配置でバックホウに取付け、排出口が少し上になるような角度で持ち上げると、蓋板で閉鎖されている排出口から土質改良材が零れ出ることはなく、バックホウで散布バケットの前後の角度を変えて排出口が少し下になるような角度にすると、内部の土質改良材が排出口から零れ出ることで地面に散布することができ、このような、散布バケットの前後角度を維持しながらバックホウで散布バケットを移動させることにより、地面に対して土質改良材を略均一に散布することができる。
【００１２】
上記のようにして、地面に対して土質改良材を散布した後、掘削機や攪拌機を用いて土質改良材と土の混合攪拌を行い、その後、必要に応じてローラ転圧等により締め固めを行うものである。
【発明の効果】
【００１３】
この発明によると、土質改良材を散布バケットに収納して地面に散布するようにしたので、バラの土質改良材を使用することが可能になり、土質改良材の価格の低減を図り、使用済み後の袋による産業廃棄物の発生をなくすことができる。
【００１４】
また、バラの土質改良材を使用するようにすれば、土質改良材をサイロに収納し、このサイロから取出して散布バケットに充填することができ、これによって、シート等による土質改良材の養生作業が不要になり、作業の簡略化が図れる。
【発明を実施するための最良の形態】
【００１５】
以下、この発明の実施の形態を添付図面に基づいて説明する。
【００１６】
図１乃至３のように、この発明の表層改良工法に用いる散布装置１は、土質改良材を収納する散布バケット２によって形成され、この散布バケット２は、角形周壁３の上下を底壁４と上壁５で閉鎖して内部中空で横長の頑丈な箱に形成され、この散布バケット２の上壁５に、バックホウのアーム先端に取付けたアタッチメントの結合金具６と、蓋で開閉できる土質改良材の投入口７と、エア抜きパイプ８を設け、前記散布バケット２の周壁でバックホウのキャビンと対面する前壁３ａの下部位置に、内部に収納した土質改良材の排出口９を設けた構造になっている。
【００１７】
上記散布バケット２の排出口９は前壁３ａの幅方向に連続した横長に形成され、上端を排出口９の上縁に複数の蝶番１０で取付けた蓋板１１で開閉自在となり、散布バケット２が水平姿勢にあるとき、自重で垂下した蓋板１１は排出口９を閉じるようになっている。
【００１８】
なお、図３のように、上記散布バケット２の側面に、蓋板１１を排出口９に対して閉位置に固定化することができる手動式のロック機構２４が設けてある。このロック機構２４は、例えば、散布バケット２の側面に回動可能に枢止したフックを蓋板１１の突軸に係脱させるような構造を有し、散布バケット２への土質改良材の投入時や散布バケット２の運搬時は、ロック機構２４を係合させて蓋板１１を閉位置に固定化し、土質改良材の散布開始時にロック機構２４の係合を解いて蓋板１１を開放状態にする。
【００１９】
上記結合金具６は、散布バケット２の上壁５で少し後壁３ｂ寄りの位置に、前後方向に長い一対のブラケット１２を固定し、両ブラケット１２間の前後位置に二本の結合軸１３、１４を架設して形成され、また、バックホウ１５のアーム１６における先端に取付けたアタッチメント１７は、図４の如く、周知のように、油圧シリンダ１８によって角度可変となるようアーム１６に取付けたリンク１７ａの部分に、油圧シリンダ１７ｂによって接近離反する前後一対のフックを設けた構造を有し、アタッチメント１７と結合金具６を結合するには、一対のフックを接近させた状態で結合軸１３と１４の間に差込み、油圧シリンダ１７ｂの伸長で一対のフックを離反させて結合軸１３と１４に係止させるようにすればよく、バックホウ１５のキャビン１５ａ内から、散布バケット２の結合と分離が操作できるようになっている。
【００２０】
また、上記アタッチメント１７は、散布バケット２を取付けて吊り下げた状態で、油圧シリンダ１８を伸縮させることにより、吊り下げた散布バケット２の前後の吊持角度を変化させることができるようになっている。
【００２１】
上記散布バケット２の前壁３ａには、バックホウ１５側の電源で作動する振動モータ１９を取付け、土質改良材の散布時に散布バケット２に振動を与えることにより、土質改良材のブリッジ現象の発生を抑え、全量を確実に排出することができるようにしている。
【００２２】
次に、上記散布装置を用いて実施するこの発明の表層改良工法を説明する。
【００２３】
例えば、セメント系や石灰等の土質改良材Ａはバラの状態のものを使用し、図５のように、これを作業現場の近くに設置したサイロ２０内に収納しておき、運搬車両２１に載せた散布バケット２をサイロ２０の近くに運び、サイロ２０内の土質改良材Ａを取出し手段で取出して計量し、この土質改良材Ａをホース２２を介して散布バケット２内に投入口７から内部に投入する。この場合、上記散布バケット２の蓋板１１は、ロック機構２４を係合させて蓋板１１を閉位置に固定化しておく。
【００２４】
ここで、上記サイロ２０は、土質改良材Ａを取出し手段で取出すとき、取出し量を計量してこれを秤量器で表示すると共に、取出し量を紙等に印字して排出するプリンター機構を設け、表層改良工法に使用する土質改良材Ａの散布量を管理報告することができるようにしておく。
【００２５】
散布バケット２内への土質改良材Ａの投入が完了すると、この散布バケット２を運搬車両２１で作業現場に運び、現場で待機しているバックホウ１５のアーム１６の先端に取付けたアタッチメント１７を結合金具６に対して係合させることにより、散布バケット２をバックホウ１５で吊り下げ保持し、運搬車両２１を作業現場から退去させる。
【００２６】
なお、上記散布バケット２内への土質改良材Ａの投入において、バックホウ１５のアーム１６の先端に散布バケット２を取付けた状態で、バックホウ１５をサイロ２０の近くに移動させ、アーム１６の先端に取付けられた散布バケット２にサイロ２０から直接投入するようにし、運搬車両２１の使用を省くようにしてもよい。
【００２７】
上記散布バケット２は、図４のように、前壁３ａに設けた排出口９がバックホウ１５のキャビン１５ａと対面する配置でバックホウ１５に取付け、ロック機構２４の係合を解いて蓋板１１をフリーとし、散布バケット２を排出口９が少し上になるような角度で持ち上げると、土質改良材Ａが後壁３ｂの側に片寄り、蓋板１１で閉鎖された排出口９からこぼれ出ることはない。
【００２８】
作業現場の地面に土質改良材Ａを散布するには、図６のように、バックホウ１５のアーム１６を操作して散布バケット２を散布位置の直上に臨ませ、次に、油圧シリンダ１８を伸長または収縮させ、散布バケット２の前後の角度を変えるようにする。
【００２９】
上記油圧シリンダ１８で散布バケット２をその排出口９が少し下になるような角度にすると、図６のように、内部の土質改良材Ａが蓋板１１を押し開いて排出口９から零れ出ることで地面への散布が開始され、この散布状態を油圧シリンダ１８で維持しながら、各油圧シリンダ２３、２５の伸縮やアーム１６の旋回操作及びバックホウ１５の移動等により散布バケット２の位置を変えることによって、土質改良材Ａの適量を地面に対して略均等になるよう散布する。
【００３０】
なお、地面に散布された土質改良材Ａの一部が山形に積もった場合は、散布バケット２を地面に接近させた状態で水平に移動させ、散布バケット２で直接土質改良材Ａを均すようにする。
【００３１】
上記のようにして、地面に対して土質改良材Ａを散布した後、図示省略したが、掘削機もしくは攪拌機を用い、土質改良材と土の混合攪拌を行い、この混合攪拌部分を均した後、必要に応じてローラ転圧等により締め固めを行って仕上げれば、硬い板状の人工地層や土質改良された地層を造ることができる。
【図面の簡単な説明】
【００３２】
【図１】散布装置の一部切り欠き側面図
【図２】散布装置の正面図
【図３】散布装置の一部切り欠き斜視図
【図４】散布装置をバックホウのアームに取付けた状態を示す側面図
【図５】散布装置に土質改良材を充填している状態を示す一部切り欠き側面図
【図６】バックホウに取付けた散布装置で土質改良材を散布している状態を示す側面図
【符号の説明】
【００３３】
１          散布装置
２          散布バケット
３          角形周壁
４          底壁
５          上壁
６          結合金具
７          投入口
８          エア抜きパイプ
９          排出口
１０        蝶番
１１        蓋板
１２        ブラケット
１３、１４  結合軸
１５        バックホウ
１６        アーム
１７        アタッチメント
１８        油圧シリンダ
１９        振動モータ
２０        サイロ
２１        運搬車両
２２        ホース
２３        油圧シリンダ
２４        ロック機構
２５        油圧シリンダ
【図１】
2008285826.tif 000003
【図２】
2008285826.tif 000004
【図３】
2008285826.tif 000005
【図４】
2008285826.tif 000006
【図５】
2008285826.tif 000007
【図６】
2008285826.tif 000008